(57)【要約】【課題】通信ケーブルを装置又は壁の壁面に沿って配置する。【解決手段】通信ケーブル（５）が挿入されるハウジング（３）と、通信ケーブル（５）の挿入方向と異なる方向に突き出す雄コネクタ部（１０）とを有し、雄コネクタ部（１０）をハウジング（３）に回転可能に取り付ける。通信用コネクタが、通信ケーブル（５）の方向を変換するため、比較的剛性の高いケーブルを有するＬＡＮケーブルを、自由に装置の壁面に沿って配置できる。【選択図】図１
2012253038.tif 000002
【特許請求の範囲】
【請求項１】
通信ケーブルが挿入され、前記通信ケーブルの雄コネクタと接続する雌コネクタを有するハウジングと、
前記ハウジングに回転可能に設けられ、前記ハウジングの雌コネクタとケーブル接続し、前記通信ケーブルの挿入方向と異なる方向に突き出る雄コネクタ部とを有する
ことを特徴とする通信ケーブル用コネクタ。
【請求項２】
前記雄コネクタ部は、装置又は壁面のケーブル挿入穴に嵌めこまれる雄コネクタと、前記雄コネクタを支持する円筒形状の支持ブロックを有し、前記ハウジングは、前記支持ブロックが嵌めこまれる円筒形の挿入穴を有する
ことを特徴とする請求項１の通信ケーブル用コネクタ。
【発明の詳細な説明】
【技術分野】
【０００１】
本発明は、ＬＡＮ（Ｌｏｃａｌ  Ａｒｅａ  Ｎｅｔｗｏｒｋ）ケーブル等の通信ケーブルの方向を変換して、被接続部に接続する通信ケーブル用コネクタに関する。
【背景技術】
【０００２】
オフィスや家庭などでパーソナルコンピュータや周辺装置をＬＡＮケーブルで接続して、ネットワークを構築する。従来のＬＡＮケーブルの接続は、機器や壁面等に設けたＬＡＮケーブル挿入口に、ＬＡＮケーブル先端の雌コネクタを垂直方向に挿入して、接続していた。
【先行技術文献】
【特許文献】
【０００３】
【特許文献１】特開平１０−１８９１８９号公報
【特許文献２】特開平８−２４１７７４号公報
【発明の概要】
【発明が解決しようとする課題】
【０００４】
近年の機器の外部接続口が増加している。例えば、ノート型パーソナルコンピュータでは、コンピュータ本体の裏面又は横面にＬＡＮケーブルの挿入口、ＵＳＢ端子等が多数設けられている。ＬＡＮケーブルの雌コネクタを挿入口に垂直方向に挿入した場合、比較的剛性の高いケーブルを有するＬＡＮケーブルを、自由に装置の壁面に沿って配置することは難しい。このため、他の配線と交差したりして、配線が乱雑となり、取り付け、取り外し作業も手間がかかる。又、見た目も良くない。同様に、壁面のＬＡＮケーブルの挿入口を設けた場合には、壁面に沿ったＬＡＮケーブルのレイアウトが難しい。
【０００５】
本発明の目的は、通信ケーブルの接続方向を自由に変更するための通信ケーブル用コネクタを提供することにある。
【課題を解決するための手段】
【０００６】
この目的の達成のため、本発明の通信ケーブル用コネクタは、通信ケーブルが挿入され、前記通信ケーブルの雄コネクタと接続する雌コネクタを有するハウジングと、前記ハウジングに回転可能に設けられ、前記ハウジングの雌コネクタとケーブル接続し、前記通信ケーブルの挿入方向と異なる方向に突き出る雄コネクタ部とを有する。
【発明の効果】
【０００７】
通信ケーブル用コネクタが、通信ケーブルの方向を変換するため、比較的剛性の高いケーブルを有する通信ケーブルを、自由に装置の壁面に沿って配置でき、他の配線と交差したり、配線が乱雑となることを防止でき、取り付け、取り外し作業を軽減できる。又、壁面に沿った通信ケーブルのレイアウトが可能となり、配線がすっきりした形となり、見た目も良くなる。
【図面の簡単な説明】
【０００８】
【図１】本発明の実施の形態の通信ケーブル用コネクタの分解斜視図である。
【図２】図１の雄コネクタの構成図である。
【図３】図１の第１のハウジングの正面図である。
【図４】図１の接点ブロックの構成図である。
【図５】図１の接点ブロックの上面及び側面図である。
【図６】図１の第２のハウジングの正面図である。
【図７】図１の第２のハウジングの底面図である。
【図８】実施の形態の通信用ケーブルの使用状態の説明図である。
【発明を実施するための形態】
【０００９】
図１は本発明の通信ケーブル用コネクタの分解図である。図２は図１のＬＡＮ雄コネクタ部の側面及び正面図である。図３は図１の第１のハウジングの正面図である。図１では、通信ケーブルをＬＡＮケーブルで説明するが、通信ケーブルはこれに限られない。
【００１０】
図１に示すように、通信ケーブル用コネクタは、ＬＡＮ雄コネクタ部１と接点ブロック２と接続ピン４Ａとハウジング３とを有する。ＬＡＮ雄コネクタ部１は、円筒形状のコネクタ支持ブロック１２にＬＡＮ雄コネクタ１０を設けて構成される。図２（Ａ）の側面図に示すように、円筒形状の支持ブロック１２の上面にＬＡＮ雄コネクタ１０を設け、下面からＬＡＮ雄コネクタ１０の接続線１６を引き出す。図２（Ｂ）の正面図も参照すると、ＬＡＮ雄コネクタ１０は、位置決めブロック１０２と８個の雄コネクタ１００を有する。
【００１１】
一方、円筒形状の支持ブロック１２は、接続線側に複数の半円形の溝１４を円周上に有する。この例では、図２（Ｂ）に示すように、支持ブロック１２の円周に沿って、７個の溝１４が設けられる。この７個の溝１４は、浅く且つ細い連結路で接続される。
【００１２】
図１に戻り、ハウジング３は、第１のハウジング３Ａと第２のハウジング３Ｂとを有する。図３に示すように、第１のハウジング３Ａは、円筒形の挿入穴４０を有する。ＬＡＮ雄コネクタ部１の円筒形状の支持ブロック１２は、第１のハウジング３Ａの挿入穴４０に挿入される。第１のハウジング３Ａの挿入穴４０には、係合突起４２が設けられている。
【００１３】
利用者は、第１のハウジング３Ａの挿入穴４０に挿入されたＬＡＮ雄コネクタ１の支持ブロック１２の溝１４のいずれかを挿入穴４０の係合突起４２に嵌め合わせることにより、雄コネクタ１０の支持ブロック１４の回転方向の向きを固定できる。又、支持ブロック１２の溝１４のいずれかを挿入穴４０の係合突起４２に嵌め合わせることにより、雄コネクタ１０の回転方向の向きを変更できる。図２（Ｂ）で説明したように、支持ブロック１２の溝１４は、４５度間隔で７個設けられているため、４５度の単位で、０〜２７０度まで、ＬＡＮ雄コネクタ１０の回転方向の向きを変更できる。
【００１４】
第２のハウジング３Ｂは、側面にＬＡＮケーブルの挿入口３０を有する。後述するように、ＬＡＮ雄コネクタ部１の接続線１６の線の各々は、接続ピン４Ａに接続され、接続ピン４Ａが接点ブロック２に挿入され、折り曲げられる。これにより、接点ブロック２から斜めに突き出した接続ピン群４を形成する。この接点ブロック２は、そして、第２のハウジング３Ｂに取り付けられる。
【００１５】
図４及び図５は接点ブロックの構成図である。図４（Ａ）は接点ブロック２を図１の雄コネクタ部１から見た背面図、図４（Ｂ）は接点ブロック２を第１のハウジング３Ａから見た正面図、図５（Ａ）は接点ブロック２を上から見た上面図、図５（Ｂ）は接点ブロック２を側面から見た側面図である。図４（Ａ）、図４（Ｂ）に示すように、接点ブロック２はブロック本体２０とブロック２０の上下に設けた位置決め用の出っ張り部２１，２３とを有する。
【００１６】
図４（Ａ）の背面図に示すように、ブロック本体２０には、前述の接続線１６の各々が接続された接続ピン４Ａが挿入される複数の入り口穴２４が交互に設けられている。又、図４（Ｂ）の正面図に示すように、ブロック本体２０には、前述の接続線１６の各々が接続された接続ピン４Ａを分離し、ガイドするガイドスロット２６と、入り口穴２４から挿入された接続ピン４Ａの出口穴２８とを有する。この実施の形態では、接続線１６が８本であり、接続ピン４Ａも８本であるため、ブロック本体２０には８個の入り口穴２４と８個の出口穴２８と８個のガイドスロット２６とが設けられている。
【００１７】
図５（Ａ）の上面図に示すように、８個の入り口穴２４と８個の出口穴２８とは連結しており、８本の接続ピン４Ａは入り口穴２４から８個の出口穴２８に挿入される。図５（Ａ）に示すように、８個のガイドスロット２６の各々の壁面は斜めに形成されている。又、図５（Ｂ）に示すように、各スロット２６は分離している。８本の接続ピン４Ａを入り口穴２４から８個の出口穴２８に挿入した後、出口穴２８から突き出した接続ピン４Ａを、８個のガイドスロット２６の各々の壁面に沿って折り曲げる。これにより、図１に示したように、接点ブロック２から斜めに突き出した接続ピン群４を形成できる。
【００１８】
図６及び図７は第２のハウジング３Ｂの構成図である。図６（Ａ）は第２のハウジング３Ｂの正面図、図６（Ｂ）は第２のハウジング３Ｂを第１のハウジング３Ａから見た背面図、図７は第２のハウジングを底面から見た断面図である。図６（Ａ）及び図７に示すように、第２のハウジング３ＢのＬＡＮケーブルの挿入口３０は、図７で説明するＬＡＮケーブルのクリップ部に係合する第１のガイド穴３１と、ＬＡＮケーブルの位置決めブロックに係合する第２のガイド穴３２と、ＬＡＮケーブルの雄コネクタの端部を位置決めする第３のガイド穴３３と、ＬＡＮケーブルの雄コネクタのそれぞれが挿入されるスロット３９とを有する。
【００１９】
図６（Ｂ）、図７に示すように、第２のハウジング３Ｂの背面には、接点ブロック２の取り付け穴３６が設けられている。接点ブロック２の上下に設けた位置決め用の出っ張り部２１，２３が取り付け穴３６の位置決め穴３７，３８に係合し、接点ブロック２の本体２０が取り付け穴３６に係合することにより、接点ブロック２は第２のハウジング３Ｂに嵌めこまれる。この時、接点ブロック２の接続ピン群４は、スロット３９に位置する。従って、ＬＡＮケーブルの雌コネクタを形成する。
【００２０】
この構成のコネクタの製作過程を説明する。ＬＡＮ雄コネクタ部１の接続線１６の各々を接続ピン４Ａに接続する。接続ピン４Ａを接続したＬＡＮ雄コネクタ部１を第１のハウジング３Ａの円筒穴４０に嵌めこむ。接続ピン４Ａの各々を接点ブロック２に挿入し、ガイドスロットで折り曲げる。接点ブロック４Ａを第２のハウジング３Ｂに嵌めこむ。第１のハウジング３Ａに第２のハウジング３Ｂを接着等で接続する。このように、接点ブロック２を設けることにより、雄コネクタ部１に接続する雌コネクタを線の混在なしに容易に組み立てることができる。
【００２１】
図８は本実施の形態のコネクタの使用状態の説明図である。図８（Ａ）,図８（Ｂ）に
示すように、ＬＡＮケーブル５は、ＬＡＮ雄コネクタ５０を有する。ＬＡＮ雄コネクタ５０は、ケーブル用コネクタのＬＡＮ雄コネクタ１０と同様の構造であり、雄コネクタと位置決めブロックを備える。又、ＬＡＮケーブル５は、抜き差しを容易とするため、位置係目ブロックに接続するクリップ部５２を備える。
【００２２】
図８（Ａ）に示すように、雄コネクタ部１０をハウジング３に対し、９０度回転した位置に位置決めする（例えば、図２（Ｂ）参照）。即ち、ハウジング３の円筒穴４０に取り付けられたＬＡＮ雄コネクタ部１を回転し且つ円筒穴４０の係合突起４２に一の溝１４を嵌め合わせる。この状態で、ＬＡＮケーブル５をハウジング３に接続し、雄コネクタ部１を装置や壁面のＬＡＮ挿入穴に差し込む。これにより、装置や壁面に沿って上下方向にＬＡＮケーブル５を這わせることができる。
【００２３】
同様に、図８（Ｂ）に示すように、雄コネクタ部１０をハウジング３に対し、１８０度回転した位置に位置決めする。即ち、ハウジング３の円筒穴４０に取り付けられたＬＡＮ雄コネクタ部１を回転し且つ円筒穴４０の係合突起４２に他の溝１４を嵌め合わせる。この状態で、ＬＡＮケーブル５をハウジング３に接続し、雄コネクタ部１を装置や壁面のＬＡＮ挿入穴に差し込む。これにより、装置や壁面の左右方向に沿ってＬＡＮケーブル５を這わせることができる。この雄コネクタ部１０の回転位置は、図２（Ｂ）で説明したように、９０度、１８０度以外にも他の角度（例えば、４５度、１３５度等）も可能である。
【００２４】
このように、通信用コネクタが、ＬＡＮケーブル５の方向を変換するため、比較的剛性の高いケーブルを有するＬＡＮケーブルを、自由に装置の壁面に沿って配置でき、他の配線と交差したりして、配線が乱雑となることを防止でき、取り付け、取り外し作業を軽減できる。又、壁面に沿ったＬＡＮケーブルのレイアウトが可能となり、配線がすっきりした形となり、見た目も良くなる。
【産業上の利用可能性】
【００２５】
通信用コネクタが、通信ケーブルの方向を変換するため、比較的剛性の高いケーブルを有する通信ケーブルを、自由に装置の壁面に沿って配置でき、他の配線と交差したりして、配線が乱雑となることを防止でき、取り付け、取り外し作業を軽減できる。又、壁面に沿った通信ケーブルのレイアウトが可能となり、配線がすっきりした形となり、見た目も良くなる。
【符号の説明】
【００２６】
１  ＬＡＮ雄コネクタ
２  接点ブロック
３  ハウジング
３Ａ  第１のハウジング
３Ｂ  第２のハウジング
４、４Ａ  接点ピン
５  ＬＡＮケーブル
１０  雄コネクタ
１２  円筒型支持ブロック
１４  位置決め溝
１６  接続線
３０  ケーブル挿入穴
４０  円筒状挿入穴
【図１】
2012253038.tif 000003
【図２】
2012253038.tif 000004
【図３】
2012253038.tif 000005
【図４】
2012253038.tif 000006
【図５】
2012253038.tif 000007
【図６】
2012253038.tif 000008
【図７】
2012253038.tif 000009
【図８】
2012253038.tif 000010